(57)【要約】【課題】２灯用照明器具の配光に近い配光を得ることのできる１灯用の照明器具を提供する。【解決手段】天井又は壁などの設置面に取り付けられる略平板状の長尺の器具本体１と、器具本体１に取り付けられて直管型蛍光ランプ（図示せず）からの光を反射する反射板２とを備えている。反射板２は、左右方向における断面形状が所謂逆富士型となるように平板状の金属板を折曲して形成されて設置面と対向する下側の面を主反射面２０としており、主反射面２０は、所定の曲率を有する曲面に形成され、その左右方向における断面形状は上方へと湾曲した略円弧状となっている。【選択図】図１
2008098113.tif 000002
【特許請求の範囲】
【請求項１】
直管型蛍光ランプが着脱自在に装着される一対のソケット及び蛍光ランプを点灯させる安定器を有し、天井又は壁などの設置面に取り付けられる長尺の器具本体と、器具本体に取り付けられて蛍光ランプからの光を反射する反射板とを備えた照明器具であって、反射板は、逆富士型であって、設置面と対向し且つ蛍光ランプの着脱方向において蛍光ランプと対向する主反射面が設置面側に窪んだ形状に形成されることを特徴とする照明器具。
【請求項２】
前記主反射面は、所定の曲率を有する曲面から成ることを特徴とする請求項１記載の照明器具。
【請求項３】
前記主反射面は、略矩形状の複数の反射面の各々が所定の角度を為して互いに連結されて成ることを特徴とする請求項１記載の照明器具。
【発明の詳細な説明】
【技術分野】
【０００１】
本発明は、光源として蛍光ランプを用いた照明器具に関する。
【背景技術】
【０００２】
従来から、直管型の蛍光ランプを光源とした照明器具が提供されており、例えば特許文献１に開示されているように蛍光ランプ１本を光源とする１灯用照明器具がある。この種の照明器具は、図３に示すように、直管型の蛍光ランプ（図示せず）が着脱自在に装着される一対のソケット１０２（図示では１つ）及び蛍光ランプを点灯させる安定器１０１を有し、天井又は壁など（図示では天井）の設置面に取り付けられる略平板状の長尺の器具本体１００と、器具本体１００に覆設されて蛍光ランプからの光を反射する反射板２００とを備えている。反射板２００は、断面が所謂逆富士型に折曲されて形成され、設置面と対向する面を主反射面２０１としている。ソケット１０２は、主反射面２０１に貫設された挿通孔（図示せず）を介して主反射面２０１の図３における下方に突出しており、該ソケット１０２に主反射面２０１と対向する形で蛍光ランプが装着される。また、１灯用照明器具では必要な照明環境を得られない場合には、器具本体に略Ｖ字状に折曲された反射板を覆設し、該反射板の各面に対向する形でそれぞれ蛍光ランプを装着した２灯用照明器具が用いられていた。
【特許文献１】特開平８−１６１９１４号公報
【発明の開示】
【発明が解決しようとする課題】
【０００３】
ところで、近年従来の蛍光ランプよりも高出力の蛍光ランプが開発されており、このような高出力の蛍光ランプであれば、１灯で従来の蛍光ランプ２灯分に相当する出力を得ることができるため、該蛍光ランプを上記従来の１灯用照明器具に用いることで２灯用照明器具を１灯用照明器具に置き換えることが考えられる。
【０００４】
しかしながら、上記従来例では、蛍光ランプと対向する主反射面２０１の断面形状が設置面と平行な直線形状であるため、蛍光ランプ直下に向かって反射する光が蛍光ランプに遮られて蛍光ランプ直下での照度が２灯用照明器具と比較して小さくなり、したがって２灯用照明器具と同等の配光を得ることができないという問題があった。
【０００５】
本発明は、上記の点に鑑みて為されたもので、２灯用照明器具の配光に近い配光を得ることのできる１灯用の照明器具を提供することを目的とする。
【課題を解決するための手段】
【０００６】
請求項１の発明は、上記目的を達成するために、直管型蛍光ランプが着脱自在に装着される一対のソケット及び蛍光ランプを点灯させる安定器を有し、天井又は壁などの設置面に取り付けられる長尺の器具本体と、器具本体に取り付けられて蛍光ランプからの光を反射する反射板とを備えた照明器具であって、反射板は、逆富士型であって、設置面と対向し且つ蛍光ランプの着脱方向において蛍光ランプと対向する主反射面が設置面側に窪んだ形状に形成されることを特徴とする。
【０００７】
請求項２の発明は、請求項１の発明において、主反射面は、所定の曲率を有する曲面から成ることを特徴とする。
【０００８】
請求項３の発明は、請求項１の発明において、主反射面は、略矩形状の複数の反射面の各々が所定の角度を為して互いに連結されて成ることを特徴とする。
【発明の効果】
【０００９】
本発明によれば、反射板の設置面と対向し且つ蛍光ランプの着脱方向において蛍光ランプと対向する主反射面が設置面側に窪んだ形状に形成されるので、蛍光ランプを挟んで設置面と反対側における照度が小さくなるのを防ぐことができ、したがって蛍光ランプを２灯用いた照明器具と同等の配光を得ることができる。
【発明を実施するための最良の形態】
【００１０】
（実施形態１）
以下、本発明に係る照明器具の実施形態１について図面を用いて説明する。但し、以下の説明では、図１（ａ）における上下左右を上下左右方向と定める。本実施形態は、図１（ａ）に示すように、天井又は壁など（本実施形態では天井）の設置面（図示せず）に取り付けられる略平板状の長尺の器具本体１と、器具本体１に取り付けられて直管型蛍光ランプ（図示せず）からの光を反射する反射板２とを備えている。器具本体１の下面には、蛍光ランプが着脱自在に装着される一対（図示では１つ）のソケット１０が長手方向において一定の間隔を空けて下方に突設されており、また商用電源（図示せず）に接続されてソケット１０を介して蛍光ランプの点灯に必要な電力を蛍光ランプに供給する安定器１１が取付固定されている。尚、上記のような安定器１１は周知であるので、構成及び詳細な説明は省略する。
【００１１】
反射板２は、左右方向における断面形状が所謂逆富士型となるように平板状の金属板を折曲して形成され、設置面と対向する下側の面を主反射面２０としている。主反射面２０には、ソケット１０を挿通させるための２つの挿通孔（図示せず）が貫設され、該挿通孔を介してソケット１０を主反射面２０の下方に突出させ、主反射面２０と対向する形で蛍光ランプがソケット１０に装着される。ここにおいて、主反射面２０は所定の曲率を有する曲面に形成され、その左右方向における断面形状は上方へと湾曲した略円弧状となっている。
【００１２】
上述のように主反射面２０を構成することで、蛍光ランプからの光が主反射面２０によって蛍光ランプの鉛直下方に反射するために、蛍光ランプの鉛直下方での照度が小さくなるのを防ぐことができ、したがって従来の２灯用の照明器具の配光に近い配光を得ることができる。尚、器具本体１の幅寸法Ｌ１を１００ｍｍ、設置面から主反射面２０の最上端までの距離Ｌ２を４１ｍｍ、設置面から主反射面２０の最下端までの距離Ｌ３を４６ｍｍ、設置面からソケット１０の最下端までの距離Ｌ４を７４ｍｍ、主反射面２０の左右方向における断面形状を半径Ｒ（＝９０ｍｍ）の円弧状とした場合の配光を測定した結果、図１（ｂ）に示すように蛍光ランプ直下において良好な配光を得ることができた。
【００１３】
（実施形態２）
以下、本発明に係る照明器具の実施形態２について図面を用いて説明する。但し、本実施形態の基本的構成は実施形態１の構成と共通であるので、実施形態１と共通する部位については同一の符号を付して説明を省略する。本実施形態は、図２（ａ）に示すように、主反射面２０がそれぞれ略矩形状の第一の反射面２１、第二の反射面２２、第三の反射面２３から成り、設置面と対向する第二の反射面２２に２つの挿通孔（図示せず）が貫設され、該挿通孔を介してソケット１０を下方に突出させている。第一の反射面２１及び第二の反射面２２、並びに第一の反射面２１及び第三の反射面２３は何れも所定の角度を為して長手方向の一辺が互いに連結されており、主反射面２０全体として実施形態１の主反射面２０の形状に極力近づくように設計されている。
【００１４】
上述のように主反射面２０を構成することで、実施形態１と同様に蛍光ランプからの光が主反射面２０によって蛍光ランプの鉛直下方に反射するために、蛍光ランプの鉛直下方での照度が小さくなるのを防ぐことができ、したがって従来の２灯用の照明器具の配光に近い配光を得ることができる。尚、器具本体１及び反射板２の寸法を実施形態１と同様の寸法とし、第二の反射面２２の幅寸法Ｌ５を２２ｍｍとした場合の配光を測定した結果、図２（ｂ）に示すように、実施形態１と同様に蛍光ランプ直下において良好な配光を得ることができた。
【図面の簡単な説明】
【００１５】
【図１】本発明の実施形態１の照明器具を示す図で、（ａ）は一部破断した概略図で、（ｂ）は配光測定の結果を示す図である。
【図２】本発明の実施形態２の照明器具を示す図で、（ａ）は一部破断した概略図で、（ｂ）は配光測定の結果を示す図である。
【図３】従来の照明器具を示す一部破断した概略図である。
【符号の説明】
【００１６】
１  器具本体
１０  ソケット
１１  安定器
２  反射板
２０  主反射面
【図１】
2008098113.tif 000003
【図２】
2008098113.tif 000004
【図３】
2008098113.tif 000005